(57)【要約】      （修正有）【課題】ゴルフボール等のボールを収納した包装箱を吊り下げて展示することができ、しかもボールの重さで傾くことはなく垂直に吊り下げられるようにして展示効果を向上させた吊り下げ用ボール包装箱を提供する。【解決手段】四角筒状の包装箱本体１を前面板２、背面板３及び２つの側面板４から形成し、この包装箱本体１の上面開口部５の２辺に開口をふさぐ補助フラップを形成し、この上面開口部５の残る一方の１辺に開口の中央まで伸びる内蓋部９を形成し、この内蓋部９の先端に折り曲げられて立ち上がる吊り下げ部６を形成し、上面開口部５の他方の１辺に吊り下げ部６が折り曲げられて挿入される溝１１が形成された外蓋部１０を形成し、この外蓋部１０の先端に背面板３に形成された切込み１２に下から挿入される差込片１３を備えた係止部１４を形成した。【選択図】図１
0003111218.tif 000002
【実用新案登録請求の範囲】
【請求項１】
四角筒状の包装箱本体を前面板、背面板及び２つの側面板から形成し、
この包装箱本体の上面開口部の２辺に開口をふさぐ補助フラップを形成し、この上面開口部の残る一方の１辺に開口の中央まで伸びる内蓋部を形成し、
この内蓋部の先端に折り曲げられて立ち上がる吊り下げ部を形成し、
前記上面開口部の他方の１辺に吊り下げ部が折り曲げられて挿入される溝が形成された外蓋部を形成し、
この外蓋部の先端に背面板に形成された切込みに下から挿入される差込片を備えた係止部を形成したことを特徴とする吊り下げ用ボール包装箱。
【請求項２】
少なくとも前記前面板に透明部があることを特徴とする請求項１に記載の吊り下げ用ボール包装箱。
【請求項３】
前記立ち上がった吊り下げ部をその折曲線から寝かせて上面を平らにしたとき、吊り下げ部が上面の領域内に収まる大きさであることを特徴とする請求項１または２に記載の吊り下げ用ボール包装箱。
【請求項４】
吊り下げ手段を有さない包装箱に収納されたボールをその包装箱ごと包装箱本体に収納したことを特徴とする請求項１ないし３のいずれか１項に記載の吊り下げ用ボール包装箱。
【考案の詳細な説明】
【技術分野】
【０００１】
本考案は、テニスボール、パークゴルフ用ボールやゴルフボール等のボールを包装するとともに、販売展示のために店内に吊り下げられるようにした吊り下げ用ボール包装箱に関する。
【背景技術】
【０００２】
一般的なゴルフボール用包装箱としては、２〜５個のボールを収納した包装箱が知られ、その外表面に商品名と商品特性が表示されていた。包装箱の外表面に工夫を施したものとしては、収納したゴルフボールの識別番号を表示するラベルを貼り付けたもの等が知られていた（特許文献１参照）。
【０００３】
例えば、ゴルフボールを３個収納した包装箱自体を店内で展示するために吊り下げられるようにしたものは見当たらなかった。展示するためには、ボール３個を収納した箱を４個収納するダース箱に工夫をして１つ１つの包装箱をお客に見え易いように展示するくらいのものであった。ゴルフボールなどのボール以外を収納するものでは、包装箱本体に吊り下げ部を備え、包装箱本体と吊り下げ部との境目に吊り下げ部を裏板部側へ折り曲げ易くする折目線を形成し、包装箱本体の裏板部に折り曲げられた吊り下げ部の端部を挿し込んで係止保持する差込孔を形成したものが知られている（特許文献２参照）。
【特許文献１】特開2003-093546号公報（第２頁、図１）
【特許文献２】特開2003-165531号公報（第２頁、図１）
【考案の開示】
【考案が解決しようとする課題】
【０００４】
特許文献２に開示されたような吊り下げ部を特許文献１に開示のゴルフボール用包装箱に適用しても、吊り下げ部は裏板部を上方に延ばして形成されているため、ゴルフボールの重さにより、包装箱が垂直に吊り下がらずに傾いてしまう。
【０００５】
そこで本考案は、ゴルフボール等のボールを収納した包装箱を吊り下げて展示することができ、しかもボールの重さで傾くことはなく垂直に吊り下げられるようにして展示効果を向上させた吊り下げ用ボール包装箱を提供することを目的とする。
【課題を解決するための手段】
【０００６】
上述の目的を達成するため、本考案は、四角筒状の包装箱本体を前面板、背面板及び２つの側面板から形成し、この包装箱本体の上面開口部の２辺に開口をふさぐ補助フラップを形成し、この上面開口部の残る一方の１辺に開口の中央まで伸びる内蓋部を形成し、この内蓋部の先端に折り曲げられて立ち上がる吊り下げ部を形成し、前記上面開口部の他方の１辺に吊り下げ部が折り曲げられて挿入される溝が形成された外蓋部を形成し、この外蓋部の先端に背面板に形成された切込みに下から挿入される差込片を備えた係止部を形成したものである。
【考案の効果】
【０００７】
本考案によれば、外蓋部の先端に背面板に形成された切込みに下から挿入される差込片を備えた係止部を形成したので、比較的重量のあるゴルフボール等のボールを収納したまま、店内で傾かずに垂直に吊り下げて展示することができる。また差込片が切込みに下から挿入されることにより、吊り下げ部による吊下重量の限度もアップする。さらに、前面板を透明にすることにより、中身を見せて販売効果を高めることができる。
【考案を実施するための最良の形態】
【０００８】
以下に本考案の実施形態について、図面を参照にして説明する。
【０００９】
図１において、パークゴルフ用ボールＢを１個収納する包装箱本体１を前面板２、背面板３及び２つの側面板４から形成し、この包装箱本体１の上面開口部５の中央に吊り下げ部６を設けてある。
【００１０】
図２において、前記包装箱本体１の底部７は、ボールＢの重さで破損しないように形成され、前記上面開口部５の正方形の対向する２辺には補助フラップ８，８を形成してあり、これら補助フラップ８，８は内側へ折り曲げられて上面開口部５をおおう。前記上面開口部５の他の対向する２辺のうち１辺には内蓋部９を形成してある。この内蓋部９は、開口の中央まで伸びる大きさであり、その先端に吊り下げ部６を形成してある。前記上面開口部５の１辺の長さをＬとすると、前記内蓋部９の長さはほぼＬ／２である。
【００１１】
前記上面開口部５の残りの１辺には、前記内蓋部９上に重なる外蓋部１０を形成してある。そして、この外蓋部１０の中央に溝１１を形成し、この溝１１に前記吊り下げ部６が、折り曲げられ、立ち上がって下から挿入される。この外蓋部１０の長さもＬである。外蓋部１０の先端に背面板３に形成された切込み１２（図１参照）に下から挿入される差込片１３を備えた係止部１４を形成してある。この差込片１３は、図２に示すように、係止部１４に凸形状の切込線を形成して設けられる。
【００１２】
このような包装箱は、透明なプラスチック材料で形成されることが好ましいが、紙製であってもよい。展示するときに正面となる前面板２の個所の一部又は大部分は透明であることが好ましい。全体を透明な箱としたときには、商品名や商品説明などを印刷したものを貼り付けるようにしてもいいし、図３に示すような、正面に透明な窓２１を備え、上下にフラップ２２を備え、吊り下げ手段を有さない包装箱２０にボールＢを収納し、この包装箱２０をこの包装箱本体１へ収納してもよい。包装箱２０を全体が透明な包装箱本体１へ収納すると、包装箱２０に印刷された文字や図などを吊り下げて展示した時に見ることができる。
【００１３】
図４は、立ち上がった吊り下げ部６を寝かせて平らにした状態の上から見た図であり、この状態を包装紙で包んで販売したり、あるいはダース用の他の箱に収めることができる。吊り下げ部６を寝かせたとき、吊り下げ部６が上面の領域内に収まる大きさであり、上面からはみ出ないようにする。なお、吊り下げ部６には、図示しないフックが挿通される穴６Ａを形成してある。
【００１４】
前記底部７の形状や糊代部１５がわかるように、図５に本考案包装箱の展開図を示す。この箱をプラスチック材料で形成する場合、例えば透明なＰＥＴフィルムを型で抜いて図５に示す形状とする。この型抜きのときに、各折曲線の部分に折目線ａを形成する。これらの折目線ａは、型の押圧によって形成された直線溝状の押圧跡であり、組立時に容易に折り曲げられるようになっている。なお、内蓋部９と吊り下げ部６との間の折目線ａは、ミシン目にすることもでき、販売時にこのミシン目から吊り下げ部６を切り取って包装することも可能にする。吊り下げ部６を寝かせるようにして上面を平らにしてもいいし、ミシン目を入れて展示後販売するときには吊り下げ部６を切り取ってもいい。このように吊り下げ部６が邪魔にならない状態で輸送、保管、包装を容易に行うことができる。吊り下げ部６を寝かせて、例えばボールＢを３個収納する１つの包装箱を４つダース箱に収めたとき、ダース箱からの取出しは、吊り下げ部６の先端をつまんで取出すことができ、大きな箱から小さな包装箱を取出す操作が容易になる。
【００１５】
図６は、背面板３に連成された糊代部１５を側面板４に接着し、底部７を組立て、２つ折りして重ねた状態の図であり、図７は図６の一部を破断して底部７の組立状態を示す。図８は、底部７の平面図、図９は底部７の底面図である。
【００１６】
図１０は、パークゴルフ用のボールＢではなく、ゴルフボールＢを３個収納するための包装箱を示す。前述したものと同様に前面板２、背面板３及び２つの側面板４から包装箱本体１を形成してある。ゴルフボールＢを３個収納するために長方形の箱体に形成してある。包装箱本体１の上面開口部５の中央に吊り下げ部６が設けてあり、２つの補助フラップ８，８、内蓋部９、外蓋部１０、係止部１４が形成されている点も前述の１個入り包装箱と同様である。さらに、係止部１４に差込片１３を形成し、この差込片１３が背面板３の切込み１２に差し込まれる。
【００１７】
このような３個入りのゴルフボール用包装箱は、透明なプラスチック材料で形成されることが好ましいが、紙製であってもよい。展示するときに正面となる前面板２の個所の一部又は大部分は透明であることが好ましい。全体を透明な箱としたときには、商品名や商品説明などを印刷したものを貼り付けるようにしてもいいし、図１１に示すような、正面に透明な窓２１を備え、上下にフラップ２２を備え、吊り下げ手段を有さない包装箱２０にゴルフボールＢを収納し、この包装箱２０をこの包装箱本体１へ収納してもよい。包装箱２０を全体が透明な包装箱本体１へ収納すると、包装箱２０に印刷された文字や図などを吊り下げて展示した時に見ることができる。
【００１８】
図１２にゴルフボール用包装箱の展開図を示す。この箱をプラスチック材料で形成する場合、前述したと同様に透明なＰＥＴフィルムを型で抜いて図１２に示す形状とする。この型抜きのときに、各折曲線の部分に折目線ａを形成する。これらの折目線ａは、型の押圧によって形成された直線溝状の押圧跡であり、組立時に容易に折り曲げられるようになっている。なお、内蓋部９と吊り下げ部６との間の折目線ａは、ミシン目にすることもでき、販売時にこのミシン目から吊り下げ部６を切り取って包装することも可能にする。吊り下げ部６を寝かせるようにして上面を平らにしてもいいし、ミシン目を入れて展示後販売するときには吊り下げ部６を切り取ってもいい。
【図面の簡単な説明】
【００１９】
【図１】本考案の実施形態を示す斜視図。
【図２】上面側の展開図。
【図３】従来のボール収納用の包装箱を示す斜視図。
【図４】上面開口部を閉じたときの平面図。
【図５】展開図。
【図６】２つ折り状態の図。
【図７】図６の一部破断図。
【図８】底部の平面図。
【図９】底部の底面図。
【図１０】３個収納したゴルフボール用包装箱の斜視図。
【図１１】従来のゴルフボール収納用の包装箱を示す斜視図。
【図１２】図１０の包装箱の展開図。
【符号の説明】
【００２０】
１    包装箱本体
２    前面板
３    背面板
４    側面板
５    上面開口部
６    吊り下げ部
９    内蓋部
１０  外蓋部
１１  溝
１２  切込み
１３  差込片
１４  係止部
Ｂ    ボール
【図１】
0003111218.tif 000003
【図２】
0003111218.tif 000004
【図３】
0003111218.tif 000005
【図４】
0003111218.tif 000006
【図５】
0003111218.tif 000007
【図６】
0003111218.tif 000008
【図７】
0003111218.tif 000009
【図８】
0003111218.tif 000010
【図９】
0003111218.tif 000011
【図１０】
0003111218.tif 000012
【図１１】
0003111218.tif 000013
【図１２】
0003111218.tif 000014